(57)【要約】【課題】制限された幅および高さのケース内に出し入れ又は交換可能に収容されるハードディスクの個数を増加して、コンピュータが必要とするメモリ容量に対応させる工業用コンピュータのハードディスク収容装置を提供する。【解決手段】ケース１０の手前に設けられた固定収容ラック４０にハードディスク６０を収容する複数のハードディスク収容部を構成すると共に、この固定収容ラック４０の背後に枢動可能に設けられ、複数のハードディスク６０が収容可能な可動収容ラック５０を有する。通常（使用）状態において、この可動収容ラック５０は、ロック部材５２によりロックされ、固定収容ラック４０および可動収容ラック５０は平坦面とする。このロックを解除すると、可動収容ラック５０は弾性プレート１１の弾性により枢動して、ハードディスク６０の出し入れを可能にする。【選択図】　　　　　図２
0003098105.tif 000002
【実用新案登録請求の範囲】
【請求項１】
ケースと、複数のハードディスクの収容スペースを形成する１以上のデバイダおよび上カバーにより形成された固定収容ラックと、複数のハードディスク収容スペースを形成する１以上のデバイダ、上カバーおよびフレーム蓋により形成される可動収容ラックと、前記ケースに横方向に取り付けられ前記固定収容ラック、前記可動収容ラックおよびその他のコンポーネントのスペースを分割する複数の固定用ラックと、前記固定収容ラックの上部をカバーするフレーム蓋と、前記ケースの底に取り付けられ前記可動収容ラックを持ち上げる弾性プレートと、前記可動収容ラックおよび前記ケース間に取り付けられ前記可動収容ラックの持ち上げ高さを制限するサポートラックと、を備えることを特徴とする工業用コンピュータのハードディスク収容装置。
【請求項２】
前記サポートラックの一端は、前記可動収容ラックの底に位置決めプレートにより固定され、前記サポートラックの他端は、前記ケースに摺動可能に接触することを特徴とする請求項１に記載の工業用コンピュータのハードディスク収容装置。
【請求項３】
前記弾性プレートは、前記可動収容ラックの底に固定された前記サポートラックの一端に取り付けられることを特徴とする請求項２に記載の工業用コンピュータのハードディスク収容装置。
【請求項４】
前記ケースに取付プレートが固定され、前記サポートラックの一端は、摺動接触で前記取付プレートと係合することを特徴とする請求項１に記載の工業用コンピュータのハードディスク収容装置。
【請求項５】
前記サポートラックは、略Ｕ字状に形成されていることを特徴とする請求項１に記載の工業用コンピュータのハードディスク収容装置。
【請求項６】
前記可動収容ラックは、前記ケースに取り付けられていることを特徴とする請求項１に記載の工業用コンピュータのハードディスク収容装置。
【請求項７】
前記可動収容ラックは、前記ケースから取り外し可能な個別コンポーネントであることを特徴とする請求項１に記載の工業用コンピュータのハードディスク収容装置。
【請求項８】
前記可動収容ラックには、ロック部材が更に設けられ、該ロック部材は、前記固定用ラックの１つに取付可能であることを特徴とする請求項１に記載の工業用コンピュータのハードディスク収容装置。
【請求項９】
予め決められた高さおよび幅を有するケース内に複数のハードディスクを収容する工業用コンピュータのハードディスク収容装置において、
前記ケースの手前部分に横方向に複数のハードディスク収容部を有する固定収容ラックと、該固定収容ラックの後側に可動的に取付けられ、複数のハードディスク収容部を有する可動収容ラックと、整列された前記固定収容ラックおよび前記可動収容ラックに収容された前記ハードディスクに冷却空気を送風する冷却手段とを備えることを特徴とする工業用コンピュータのハードディスク収容装置。
【請求項１０】
前記可動収容ラックの底面と前記ケースの底面間にばねが配置され、ロック部材によるロックを解除すると前記ばねにより一端部が自動的に持ち上げられることを特徴とする請求項９に記載の工業用コンピュータのハードディスク収容装置。
【請求項１１】
前記可動収容ラックは、前後端の固定用ラックに係合固定され、ロック解除時に前記ケースから取外し可能であることを特徴とする請求項９又は１０に記載の工業用コンピュータのハードディスク収容装置。
【考案の詳細な説明】
【０００１】
【考案の属する技術分野】
本考案はハードディスク収容（ストレージ）装置に関し、特にハードディスクの収容容量（キャパシティ）を効果的に増加する工業用コンピュータのハードディスク収容装置に関する。
【０００２】
【従来の技術】
工場の自動化および工業生産の多様化の進行により、コンピュータメインフレーム（本体）により処理される必要なデータは益々増加し、特に多くのイメージ（画像）およびピクチャ（映像）を含むファイルの場合には顕著である。従って、中央記憶システムおよび複数のワークステーション間で、処理時間を短縮するために高速情報伝送速度が要求される。そして、ハードディスク等の収容システムの収容容量、データのセキュリティおよび実行の高速効率化が、現在の工業用コンピュータの最も重要な３要素である。
【０００３】
汎用の工業用コンピュータケース（筺体）の高さは、１ｕ乃至８ｕである。　ここで、１ｕは、４４．４５ｍｍであり、工業用コンピュータケースに適用される高さの標準規格である。
【０００４】
【考案が解決しようとする課題】
上述の如く、汎用の工業用コンピュータケースの高さは標準化されているので、ハードディスク等の収容容量は、利用可能なスペース（空間）により制限され、また大部分のハードディスク（ストレージデバイス）は、ハードディスクモジュールに熱交換（又は放熱）機能を付与するために工業用コンピュータケースの手前（又は前方）に取り付けられているので、もし大きいハードディスク収容容量が必要な場合には、従来の収容システムではサポートし得ない設計となる。
【０００５】
【考案の目的】
本考案は、従来技術の上述の課題に鑑みなされたものであり、制限されたスペースを有効利用してハードディスク収容容量を増加することにより、上述した課題を解消又は軽減する工業用コンピュータのハードディスク収容装置を提供することを目的とする。
【０００６】
【課題を解決するための手段】
本考案の工業用コンピュータのハードディスク収容装置は、ケースと、複数のハードディスクの収容スペースを形成する１以上のデバイダおよび上カバーにより形成された固定収容ラックと、複数のハードディスク収容スペースを形成する１以上のデバイダ、上カバーおよびフレーム蓋により形成される可動収容ラックと、ケースに横方向に取り付けられ固定収容ラック、可動収容ラックおよび他のコンポーネントのスペースを分割する複数の固定用ラックと、固定収容ラックの上部をカバーするフレーム蓋と、ケースの底に取り付けられ可動収容ラックを持ち上げる弾性プレートと、可動収容ラックおよびケース間に取り付けられ可動収容ラックの持ち上げ高さを制限するサポートラックと、を備えることを特徴とする。本考案の好適実施形態によると、サポートラックの一端は、可動収容ラックの底に位置決めプレートにより固定され、サポートラックの他端は、ケースに摺動可能に接触する。弾性プレートは、可動収容ラックの底に固定されたサポートラックの一端に取り付けられる。ケースに取り付けプレートが固定され、サポートラックの一端は、摺動接触で取付プレートと係合する。サポートラックは、略Ｕ字状に形成される。可動収容ラックは、ケースに取り付けられている。可動収容ラックは、ケースから取り外し可能な個別コンポーネントである。
【０００７】
また、本考案の工業用コンピュータのハードディスク収容装置は、予め決められた高さおよび幅を有するケース内に複数のハードディスクを収容するものであって、ケースの手前部分に横方向に複数のハードディスク収容部を有する固定収容ラックと、この固定収容ラックの後側に可動的に取り付けられ、複数のハードディスク収容部を有する可動収容ラックと、整列された固定収容ラックおよび可動収容ラックに収容されたハードディスクに冷却空気を送風する冷却手段とを備えることを特徴とする。本考案の好適実施形態によると、可動収容ラックの底面とケースの底面間にばねが配置され、ロック部材によるロックを解除すると、ばねにより一端部が自動的に持ち上げられる。可動収容ラックは、前後端の固定用ラックに係合固定され、ロック解除時にケースから取外し可能である。
【０００８】
【考案の実施の形態】
以下、本考案による工業用コンピュータのハードディスク収容装置の好適実施形態を、添付図面を参照して詳細に説明する。しかし、斯かる実施形態は、本考案の一般的な原理を説明するものであって、何ら本考案を限定するものではないことに留意されたい。
【０００９】
先ず、図１は、本考案による工業用ハードディスク収容装置の好適実施形態の外観を示す斜視図である。また、図２は、図１に示す工業用コンピュータのハードディスク収容装置の一部（可動収容ラック配置部）の内部を示す斜視図である。
【００１０】
本考案による工業用コンピュータのハードディスク収容装置は、複数個のハードディスク６０を搭載可能に構成されている。このハードディスク収容装置は、ケース（ケーシング又は筺体）１０、固定収容ラック４０、可動収容ラック５０、送風機等の冷却手段および電源装置等を含む付加固定ラック７０およびこれらのラック４０、５０および７０の上面を覆うフレーム蓋３０により構成される。可動収容ラック５０は、複数の固定用ラック２１、２２、弾性プレート１１およびＵ字状サポートラック５６により可動的に構成される。ここで、２個の取付プレート１２がケース１０の底面に取り付けられ、Ｕ字状サポートラック５６を固定する。固定収容ラック４０は、複数のデバイダ（隔壁）４１および上カバー４２により構成され、ケース１０の手前側に固定されている。デバイダ４１は、複数のハードディスク６０の収容スペースを形成する。各ハードディスク６０は、図１に示す如く、必要に応じて固定収容ラック４０の各ハードディスク収容部から出し入れ又は交換可能である。
【００１１】
他方、可動収容ラック５０は、複数のデバイダ４１、上カバー４２およびフレーム蓋３３により構成され、これによりハードディスク６０用収容スペースを形成する。更に、上カバー４２の上部は、フレーム蓋３３に係合しているので、フレーム蓋３３は、可動収容ラック５０をケース１０から取り外すと同時に取り外し可能であり、フレーム蓋３３の取り外しのための時間が不要である。
【００１２】
次に、図３および図４を参照して、図１および図２に示す工業用コンピュータのハードディスク収容装置を説明する。図３は、図１中の線Ｘ−Ｘに沿う可動収容ラック５０が閉じている状態の断面図である。一方、図４は、図２中の線Ｙ−Ｙに沿う可動収容ラック５０が開いた状態の断面図である。
【００１３】
取付部３５は、可動収容ラック５０のフレーム蓋３３の後側に取り付けられている。ロック部材５２が上カバー４２の可動収容ラック５０の手前部分と、フレーム蓋３３との間に設けられている。ロック部材５２は、両側に係合部５１および尾部５４を有する作動部５３を含んでいる。この作動部５３を作動してロック部材５２を左側へ摺動することにより、係合部５１は、第１固定用ラック２１の平坦プレート２３の下に係合する。
【００１４】
１対の位置決めプレート５５が、可動収容ラック５０の底の外縁に固定されている。Ｕ字状サポートラック５６の両端部５７は、可動収容ラック５０のそれぞれの位置決めプレート５５に枢着されている。更に、固定用ラックを構成する第１固定用ラック２１は、第２固定用ラック２２を有する。第１および第２固定用ラック２１、２２は、ケース１０の内室両端に配置され、固定収容ラック４０、可動収容ラック５０およびその他のコンポーネント用の個別エリアを形成する。第１および第２固定用ラック２１、２２には、図３および図４に示す如く各々平坦プレート２３が形成されている。第１固定用ラック２１の平坦プレート２３は、可動収容ラック５０のロック部材５２と係合し、一方、第２固定用ラック２２の平坦プレート２３は、フレーム蓋３３の取付部３５と係合するように設けられている。
【００１５】
フレーム蓋３０は、前フレーム蓋３１および後フレーム蓋３２を含んでいる。前フレーム蓋３１は、固定収容ラック４０の上面をカバーし、後フレーム蓋３２は、放熱ファン又は電源手段等を含んでいる他のコンポーネントを収容する付加固定ラック７０の上をカバーするように構成されている。
【００１６】
上述した弾性プレート１１は、少なくとも１個のプレートである。この弾性プレート１１が複数のプレートから構成される場合には、相互に重ね合わされる。斯かる弾性プレート１１は、ケース１０の底面に配置され、可動収容ラック５０に上向きの弾力を付与する。Ｕ字状のサポートラック５６が固定収容ラック５０に連結されている。Ｕ字状サポートラック５６の端部５７は、可動収容ラック５０の外縁の底において対応する位置決めプレート５５に枢着されている。ばね５８の一端が可動収容ラック５０の外縁に連結され、他端は、Ｕ字状サポートラック５６の端部５７に巻回され、Ｕ字状サポートラック５６の移動方向をばね５８により弾性的に制御するようにしている。Ｕ字状サポートラック５６の他端は、ケース１０の底に配置された２個の取付プレート１２との係合に使用され、固定収容ラック５０が持ち上げられる際の持ち上げ高さを制限する。この可動収容ラック５０のロックが解除されると、ケース１０の弾性プレート１１は、可動収容ラック５０を自動的に持ち上げ、その外端部が底面から持ち上げられ枢動する。その結果、可動収容ラック５０は、ロック部材５２のロック解除後に持ち上げられ、枢動することとなる。
【００１７】
次に、図３および図１を参照して説明する。図３は、本考案による工業用コンピュータのハードディスク収容装置の可動収容ラック５０が閉じた位置における断面図を示す。但し、説明の便宜上、Ｕ字状サポートラック５６は省略している。可動収容ラック５０を閉じると、弾性プレート１１は、可動収容ラック５０によりケース１０の底に押し付けられる。このとき、ロック部材５２の係合部５１は、第１固定用ラック２１の平坦プレート２３の下側に係合且つ固定され、可動収容ラック５０は、固定用ラックを構成する第１固定用ラック２１および第２固定用ラック２２間に固定される。
【００１８】
次に、図４は、本考案による工業用コンピュータのハードディスク収容装置の可動収容ラック５０が開放位置にある断面図を示す。尚、説明の便宜上、Ｕ字状サポートラック５６は省略している。可動収容ラック５０を開放しようとすると、先ず、平坦プレート２３からロック部材５２を後方へ押し、ロック部材５２の係合部５１を第１固定用ラック２１の平坦プレート２３の下側から後退させる。これにより、弾性プレート１１の弾力が解放されて弾性的な反発力を生じ、可動収容ラック５０を持ち上げる。その後、Ｕ字状サポートラック５６の一端は、ケース１０に摺動接触し、２個の取付プレート１２と係合し、可動収容ラック５０の持ち上げ高さを制限する。従って、可動収容ラック５０内に収容されるハードディスク６０の出し入れ又は交換が可能である。
【００１９】
次に、本考案の他の実施形態について説明する。上述の実施形態では可動収容ラック５０を固定収容ラック４０と冷却手段等を収容する付加固定ラック７０との間に配置した。しかし、本考案は、これに限定するものではなく、可動収容ラック５０を必要に応じて任意位置に配置してもよい。また、複数の可動収容ラックを使用してもよい。
【００２０】
以上、本考案による工業用コンピュータのハードディスク収容装置の好適実施形態の構成および作用を詳述した。しかし、本考案の要旨を逸脱することなく特定用途に応じて種々の変形変更が可能であること、当業者には容易に理解できよう。例えば、本考案のロック部材は、比較的小さな力で操作可能であると共に上述のロック部材と同様の機能を有する回転ボタン等に変更してもよい。また、必要に応じて、弾性プレートの数を増加し、可動収容ラックの持ち上げ力を強化してもよい。また、この弾性プレート上にローラを設け、弾性プレートおよび可動収容ラック間の接触による摩擦を低減してもよい。工業用コンピュータ内の制限されたスペースを有効活用するために平板状弾性プレートを使用したが、弾性プレートの形状は、斯かる平板状に限定されない。更に、サポートラックの形状は、Ｕ字状に限定されず、その他の形状のサポートラックを使用してもよく、また可動収容ラックを開放した際に可動収容ラックの高さを制限する限り、このＵ字状サポートラックに代わり他のデバイスを使用してもよいことが理解できよう。
【００２１】
【考案の効果】
以上の説明から明らかな如く、本考案の工業用コンピュータのハードディスク収容装置によると、次の如き実用上の顕著な効果が得られる。即ち、本考案によると、固定収容ラックのみならず、可動収容ラックにもハードディスクを収容可能であるので、工業用コンピュータの高さ又は幅を増加させることなく収容可能なハードディスクの個数を増加し、コンピュータが必要とするメモリの記憶容量に対応させることが可能である。
【００２２】
また、固定収容ラックおよび可動収容ラックを列状に配置し、放熱用ファン等から空冷用の空気を送風して多数のハードディスクを効果的に冷却することが可能である。
【図面の簡単な説明】
【図１】本考案による工業用コンピュータのハードディスク収容装置の好適実施形態の外観を示す斜視図である。
【図２】図１に示す工業用コンピュータのハードディスク収容装置の可動収容ラック部の内部構成を示す斜視図である。
【図３】図１中の線Ｘ−Ｘに沿う断面図であり、可動収容ラックの閉じた状態を示す。
【図４】図２中の線Ｙ−Ｙに沿う断面図であり、可動収容ラックの開放状態を示す。
【符号の説明】
１０　ケース
１１　弾性プレート
１２　取付プレート
２１、２２　固定用ラック
３０　フレーム蓋
４０　固定収容ラック
４１　デバイダ（隔壁）
４２　上カバー
５０　可動収容ラック
５２　ロック部材
５６　Ｕ字状サポートラック
６０　ハードディスク
７０　付加固定ラック（冷却手段を含む）
【図１】
0003098105.tif 000003
【図２】
0003098105.tif 000004
【図３】
0003098105.tif 000005
【図４】
0003098105.tif 000006